(57)【要約】【課題】  内部に多くの粉粒物を効率よく収容するとともに、小型化が図られた画像形成装置にも適用することができる粉粒物回収装置を提供する。【解決手段】  上面付近に、現像剤を構成する廃トナーなどといった粉粒物の投入口が設けられた箱状の粉粒物収容箱と、粉粒物収容箱の内部空間内に設けられ、投入口から投入された粉粒物を投入口の近傍ほど大きな移送能力で、投入口から遠ざかる奥行き方向に移送する粉粒物移送部とを備えたことを特徴とする。このような構成を有することによって、粉粒物移送部が粉粒物収容箱内の比較的低い位置に配置された場合であっても、粉粒物収容箱内に多くの粉粒物を収容することができる。【選択図】        図８
2005091847.tif 000002
【特許請求の範囲】
【請求項１】
側面と上面と下面とで囲われた内部空間と、該内部空間の側面の上部に穿たれた投入口とを有し、該投入口から投入される、現像剤を構成する粉粒物を該内部空間に収容する粉粒物収容箱と、
前記粉粒物収容箱の内部空間内に設けられ、前記投入口から投入された粉粒物を、該投入口の近傍ほど大きな移送能力で、該投入口から遠ざかる奥行き方向に移送する粉粒物移送部とを備えたことを特徴とする粉粒物回収装置。
【請求項２】
前記粉粒物移送部は、前記内部空間内の、前記投入口から距離を置いた高さに設けられたものであることを特徴とする請求項１記載の粉粒物回収装置。
【請求項３】
前記粉粒物移送部は、前記奥行き方向に延びる回転軸と、該回転軸の周囲に設けられた、前記投入口の近傍ほど大きな外径を有する螺旋状のフィンとを有する、該フィンが該回転軸を中心に回転することによって前記粉粒物を前記奥行き方向に移送するものであることを特徴とする請求項１記載の粉粒物回収装置。
【請求項４】
前記粉粒物移送部は、前記奥行き方向に延びる回転軸と、該回転軸の周囲に設けられた、前記投入口から遠ざかるほど狭いピッチを有する螺旋状のフィンとを有する、該フィンが該回転軸を中心に回転することによって前記粉粒物を前記奥行き方向に移送するものであることを特徴とする請求項１記載の粉粒物回収装置。
【請求項５】
前記粉粒物移送部は、前記奥行き方向に延びる回転軸と、該回転軸の周囲の、前記投入口側に偏った領域に設けられた螺旋状のフィンとを有する、該フィンが該回転軸を中心に回転することによって前記粉粒物を該奥行き方向に移送するものであることを特徴とする請求項１記載の粉粒物回収装置。
【請求項６】
前記粉粒物収容箱は、前記奥行き方向の長さが高さよりも長いものであることを特徴とする請求項１記載の粉粒物回収装置。
【発明の詳細な説明】
【技術分野】
【０００１】
本発明は、回収された、現像剤を構成する粉粒物を収容する粉粒物回収装置に関する。
【背景技術】
【０００２】
従来より、帯電させた感光体の表面を露光して潜像を形成し、その潜像を現像してトナー像を形成し、そのトナー像を直接に、あるいは中間転写体などを介在させて、最終的に記録媒体上に転写する画像形成装置が知られている。このような画像形成装置には、通常、画像形成の過程でトナー像を一時的に担持する像担持体からトナー像が別の部材あるいは記録媒体に転写された後に、像担持体上に残存する廃トナーを除去するクリーニング部材と、除去した廃トナーを収容するトナー回収箱とが備えられている。
【０００３】
このトナー回収箱は、センサーでトナーが満タンであることが検知されると、ユーザによって新しいトナー回収箱と交換される消耗品である。近年では、画像形成装置の小型化に伴ってトナー回収箱の大きさも制限されており、さらに、トナー回収箱の交換にかかるコストを抑えるという観点からも、トナー回収箱の内部になるべく多くのトナーを隙間なく収容することが求められている。従来のトナー回収箱は、上面にトナー投入口が設けられた単純な構造になっているため、トナー投入口の下に山状に堆積されたトナーによってトナー投入口が塞がれて、まだトナーを収容するスペースがあるにも関わらず満タンであると検知されてしまい、トナー回収箱を有効に使用することができないという不具合がある。
【０００４】
このような不具合を解消する方法として、トナー回収箱を揺動させることによって山状に堆積されたトナーを平坦にならし、トナー回収箱の内部空間を有効的に使用する方法が考案されている。しかし、この方法によると、画像形成装置内にトナー回収箱を揺動させるための広いスペースが必要となり、装置が大型化してしまううえ、トナー回収箱を揺動させる際にかなりの衝撃音が生じてしまうという問題がある。
【０００５】
また、トナー回収箱の上部に、トナーをトナー投入口から遠ざける奥行き方向に移送する移送手段を設けたトナー回収箱も提案されている（特許文献１参照）。この方法によると、大きな衝撃音を生じさせることなく、トナーをトナー回収箱内に平均的に収容することができる。
【特許文献１】特開平１０−２０７３０号公報
【発明の開示】
【発明が解決しようとする課題】
【０００６】
ここで、特許文献１に記載されている方法によると、トナー移送手段の設置位置がトナー回収箱の上部に限定されてしまい、さらに、トナー移送手段を駆動する駆動部材などが配置される位置も、トナー回収箱外側の上面付近に限定されてしまう。近年では、トナー回収箱の上をまたぐように他の部材を設置したり、トナー回収箱の周りの隙間を埋めるように他の部材を設置するなどして画像形成装置の小型化が図られており、トナー移送手段および駆動部材の設置位置がトナー回収箱の上部のみに制限されたトナー回収箱は、このような装置配置の自由度を減少させてしまうという問題がある。
【０００７】
本発明は、上記事情に鑑み、トナーやキャリアなどといった現像剤を構成する粉粒物を多量に効率よく収容するとともに、小型化が図られた画像形成装置にも適用することができる粉粒物回収装置を提供することを目的とする。
【課題を解決するための手段】
【０００８】
上記目的を達成する本発明の粉粒物回収装置は、側面と上面と下面とで囲われた内部空間と、内部空間の側面の上部に穿たれた投入口とを有し、投入口から投入される、現像剤を構成する粉粒物を内部空間に収容する粉粒物収容箱と、
粉粒物収容箱の内部空間内に設けられ、投入口から投入された粉粒物を、投入口の近傍ほど大きな移送能力で、投入口から遠ざかる奥行き方向に移送する粉粒物移送部とを備えたことを特徴とする。
【０００９】
本発明の粉粒物回収装置によると、投入された廃トナーなどといった粉粒物が、投入口の近傍ほど大きな移送能力で奥行き方向に移送される。したがって、粉粒物移送部が投入口から距離を置いた高さに設けられた場合であっても、粉粒物を十分に粉粒物収容箱の奥へ移送することができ、内部に多くの粉粒物を効率よく収容することができる。
【００１０】
また、本発明の画像処理装置において、上記の粉粒物移送部は、内部空間内の、投入口から距離を置いた高さに設けられたものであることが好ましい。
【００１１】
粉粒物移送部を投入口から距離を置いた高さに設けることにより、小型化が図られた、粉粒物回収装置の上を他の部材がまたがるような画像形成装置にも適用することができる。
【００１２】
また、本発明の粉粒物回収装置において、上記粉粒物移送部は、奥行き方向に延びる回転軸と、回転軸の周囲に設けられた、投入口の近傍ほど大きな外径を有する螺旋状のフィンとを有する、フィンが回転軸を中心に回転することによって粉粒物を前記奥行き方向に移送するものであることが好適である。
【００１３】
大きな外形を有するフィンほど、粉粒物の移送能力が大きくなる。したがって、投入口の近傍ほど外径が大きい螺旋状のフィンを有する粉粒物移送部を適用することによって、投入口から投入された粉粒物を、投入口の近傍ほど大きな移送能力で移送することができる。
【００１４】
また、本発明の粉粒物回収装置において、上記の粉粒物移送部は、奥行き方向に延びる回転軸と、回転軸の周囲に設けられた、投入口から遠ざかるほど狭いピッチを有する螺旋状のフィンとを有する、フィンが回転軸を中心に回転することによって粉粒物を奥行き方向に移送するものであることも好適である。
【００１５】
フィンのピッチが広いほど、粉粒物の移送能力が大きくなる。したがって、投入口から遠ざかるほどピッチが狭いフィンを有する粉粒物移送部を適用することも好適である。
【００１６】
また、本発明の粉粒物回収装置において、上記の粉粒物移送部は、奥行き方向に延びる回転軸と、回転軸の周囲の、投入口側に偏った領域に設けられた螺旋状のフィンとを有する、フィンが回転軸を中心に回転することによって粉粒物を奥行き方向に移送するものであってもよい。
【００１７】
投入口側に偏った領域に螺旋状のフィンを設け、逆に、投入口から遠い側にフィンが設けられていない領域を設けることにより、そのフィンが設けられていない領域に粉粒物が停滞する。このように、粉粒物を停滞させることによって、粉粒物の移送量を制御するものであってもよい。
【００１８】
また、本発明の粉粒物回収装置において、上記の粉粒物収容箱は、奥行き方向の長さが高さよりも長いものであることも好ましい。
【００１９】
本発明の粉粒物回収装置は、粉粒物収容箱が、粉粒物が移送される奥行き方向に長い形状を有する場合に、特に有効である。
【発明の効果】
【００２０】
本発明によれば、内部に、現像剤を構成する廃トナーなどといった粉粒物を効率よく収容するとともに、小型化が図られた画像形成装置にも適用することができる粉粒物回収装置を提供することができる。
【発明を実施するための最良の形態】
【００２１】
以下、本発明の実施形態について説明する。
【００２２】
図１は、本発明の粉粒物回収装置の一実施形態が適用されたプリンタの主要部を示す概略構成図である。
【００２３】
図１に示すように、プリンタ１には、４つの画像形成部１０Ｙ，１０Ｍ，１０Ｃ，１０Ｋが備えられており、各画像形成部には、それぞれ、感光体１１Ｙ，１１Ｍ，１１Ｃ，１１Ｋ、帯電器１２Ｙ，１２Ｍ，１２Ｃ，１２Ｋ、露光器１３Ｙ，１３Ｍ，１３Ｃ，１３Ｋ、現像器１４Ｙ，１４Ｍ，１４Ｃ，１４Ｋ、一次転写体１５Ｙ，１５Ｍ，１５Ｃ，１５Ｋ、クリーニング装置１６Ｙ，１６Ｍ，１６Ｃ，１６Ｋ、中間転写ベルト３０、中間転写ベルトクリーナ３１、二次転写体３２、定着器３３、およびテンションローラ３４が備えられている。
【００２４】
尚、このプリンタ１は、フルカラーの印刷が可能となっており、上記の各構成要素の末尾に付された符号Ｙ、Ｍ、Ｃ、およびＫは、それぞれイエロー、マゼンタ、シアン、および黒の画像形成用の構成要素であることを示している。
【００２５】
このプリンタ１の画像形成における基本動作について説明する。
【００２６】
まず、画像を形成するための準備として、各色用の感光体１１Ｙ，１１Ｍ，１１Ｃ，１１Ｋが矢印Ａ方向に回転され、それら感光体１１Ｙ，１１Ｍ，１１Ｃ，１１Ｋの表面に、接触式の帯電器１２Ｙ，１２Ｍ，１２Ｃ，１２Ｋによって所定の電荷がそれぞれ付与される。
【００２７】
続いて、画像がイエロー、マゼンタ、シアン、および黒に色分解された色分解画像を表す画像データが、制御部３５によって、対応する画像形成部１０Ｙ，１０Ｍ，１０Ｃ，１０Ｋに与えられる。
【００２８】
次に、イエローの画像形成部１０Ｙによるトナー像形成が開始され、露光器１３Ｙにより感光体１１Ｙ表面に、イエローの色分解画像に相当する露光光が照射されて静電的な潜像（静電潜像）が形成される。その静電潜像は、現像器１４Ｙによって循環供給される現像剤に含まれたイエローのトナーで、現像器１４Ｙと感光体１１Ｙとの間の現像位置に印加された現像電圧によって現像されて感光体１１Ｙ上にイエローのトナー像が形成される。そのトナー像は一次転写体１５Ｙにより中間転写ベルト３０に転写される。
【００２９】
中間転写ベルト３０は矢印Ｂ方向に循環移動しており、中間転写ベルト３０上に転写されたイエローのトナー像が次の色の画像形成部１０Ｍの一次転写体１５Ｍに到達するタイミングに合わせて、次の色のマゼンタのトナー像が一次転写体１５Ｍに到達するように、マゼンタの画像形成部１０Ｍによるトナー像形成が行われる。こうして形成されたマゼンタのトナー像は、一次転写体１５Ｍにおいて中間転写ベルト３０上のイエローのトナー像の上に重ねて転写される。ここで、各感光体１１Ｙ，１１Ｍ，１１Ｃ，１１Ｋ上のトナー像が中間転写ベルト３０上に転写されると、クリーニング装置１６Ｙ，１６Ｍ，１６Ｃ，１６Ｋによって、各感光体１１Ｙ，１１Ｍ，１１Ｃ，１１Ｋ上に残留する廃トナーが除去される。このクリーニング装置１６Ｙ，１６Ｍ，１６Ｃ，１６Ｋについては後で詳しく説明する。
【００３０】
続いて、シアンおよび黒の画像形成部１０Ｃ、１０Ｋによるトナー像形成が上記と同様のタイミングで行われ、一次転写体１５Ｃ、１５Ｋにおいて中間転写ベルト３０のイエローおよびマゼンタのトナー像の上に順次重ねて転写される。
【００３１】
こうして、中間転写ベルト３０上に転写された多色トナー像は、二次転写体３２により用紙２００上に二次転写され、多色トナー像は用紙２００とともに矢印Ｃ方向に搬送され、定着器３３により用紙２００上に定着されることによりカラー画像が形成される。
【００３２】
ここで、本発明の粉粒物回収装置の一実施形態は、図１に示すクリーニング装置１６Ｙ，１６Ｍ，１６Ｃ，１６Ｋによって除去された廃トナーや、劣化した現像剤、中間転写ベルトクリーナ３１の廃トナーなどを回収するものである。以下では、まず、このクリーニング装置１６Ｙ，１６Ｍ，１６Ｃ，１６Ｋについて説明する。尚、以下では、説明の便宜上、図１に示すイエローの画像形成部１０Ｙに備えられた各種要素を代表として用いて説明する。
【００３３】
図２は、図１に示す感光体とクリーニング装置を示す図である。
【００３４】
クリーニング装置１６Ｙのハウジング２１０内には、トナー保持用ブラシロール２１、回収ロール２２、クリーニングブレード２３、および移送オーガ２４が備えられている。これらトナー保持用ブラシロール２１、回収ロール２２、クリーニングブレード２３、および移送オーガ２４は、いずれも、感光体１１Ｙの回転軸に沿う方向に延びる長手形状を有し、トナー保持用ブラシロール２１、および回収ロール２２は、それぞれ矢印の方向に回転される。また、トナー保持用ブラシロール２１、および回収ロール２２は感光体１１Ｙに当接されており、クリーニングブレード２３は回収ロール２２に接触されている。
【００３５】
トナー保持用ブラシロール２１は、図１に示す中間転写ベルト３０に転写されずに残ってしまったトナーを一時的に保持するとともに、保持したトナーを所定のタイミングで感光体１１Ｙに放出する。また、回収ロール２２は、感光体１１Ｙ上に残留付着している廃トナーを回収する。回収ロール２２に吸着された廃トナーは、クリーニングブレード２３で掻き取られる。
【００３６】
このクリーニングブレード２３により掻き取られた廃トナーは、ハウジング２１０とクリーニングブレード２３とで形成される廃トナー案内空間２２０内に掻き落とされる。さらに、廃トナー案内空間２２０内の廃トナーは、移送オーガ２４によって、感光体１１Ｙの回転軸に沿った方向に移送される。
【００３７】
続いて、クリーニング装置によって除去された廃トナーを、粉粒物回収装置内に移送する回収部と、本発明の粉粒物回収装置の一実施形態について説明する。
【００３８】
図３は、回収部と粉粒物回収装置とを示す図である。
【００３９】
図３に示す回収部３００には、現像剤回収口３１０と、トナー回収口３２０と、粉粒物送り部３３０と、挿入部３４０とが備えられている。図１に示す現像器１４Ｙから排出された、劣化が進んだ現像剤は、図示しない移送手段によって現像剤回収口３１０内に移送される。また、図２に示す移送オーガ２４によって移送されてきた廃トナーは、トナー回収口３２０内に送られる。トナー回収口３２０に送られた廃トナー、および現像剤回収口３１０に移送された現像剤は、粉粒物送り部３３０によって挿入部３４０まで導かれて、粉粒物回収装置４００内に回収される。粉粒物回収装置４００は、挿入部３４０が嵌入されることによって、プリンタ１に着脱自在に装着されている。
【００４０】
図４は、粉粒物送り部の内部構造を示す図である。
【００４１】
現像剤回収口３１０およびトナー回収口３２０で回収された粉粒物は、粉粒物送り部３３０に送られる。また、中間転写ベルトクリーナ３１からの廃トナーは、粉粒物回収口３３１から投入されて、粉粒物送り部３３０に送られてくる。粉粒物送り部３３０の内部には、図４に示すように粉粒物を挿入部３４０に導くオーガ３３２が設けられている。挿入部３４０に導かれた粉粒物は、さらに、粉粒物回収装置４００に移送される。
【００４２】
図５は、粉粒物回収装置の側面図であり、図６は、図５に示す粉粒物回収装置の断面図である。
【００４３】
図５に示すように、粉粒物回収装置４００には、粉粒物送り部３３０の挿入部３４０が嵌入される挿入口４０１と、粉粒物を収容する粉粒物収容箱４１０と、粉粒物収容箱４１０内の粉粒物が満タンであることを検知するセンサ４２０と、後述する均し部材を駆動する駆動部材４３０が備えられている。
【００４４】
尚、粉粒物回収装置４００については、挿入口４０１に近い側を手前、挿入口４０１から離れた側を奥として説明する。
【００４５】
粉粒物収容箱４１０は、挿入口４０１から離れる奥行き方向の長さが高さよりも長い形状を有している。この粉粒物収容箱４１０は、本発明の粉粒物回収装置における粉粒物収容箱の一例に相当し、挿入口４０１は、本発明にいう投入口の一例にあたる。ここで、挿入部３４０と、駆動部材４３０との間の空間４００Ａには、図示しないが、他の部材が入り込んでおり、プリンタ１の小型化が図られている。
【００４６】
図６に示すように、挿入部３４０には粉粒物排出口３４１が設けられており、この粉粒物排出口３４１から粉粒物が投入される。粉粒物収容箱４１０の中ほどの高さの位置には、駆動部材４３０によって駆動される均し部材４４０が備えられている。この均し部材４４０は、本発明の粉粒物回収装置における粉粒物移送部の一例にあたる。
【００４７】
図７は、粉粒物回収装置の内部構成図である。
【００４８】
挿入部３４０の粉粒物排出口３４１から投入された粉粒物は、均し部材４４０によって、粉粒物収容箱４１０の奥行き方向（矢印Ｐの方向）へ送られる。センサ４２０は、粉粒物収容箱４１０内の所定の領域内に粉粒物が存在することを検知すると、図示しない制御部に検知結果を通知する。制御部は、センサ４２０からの検知結果を受けて、ユーザに対して「粉粒物回収装置交換」のメッセージを通知する。
【００４９】
ここで、粉粒物回収装置４０における従来技術との相違点は、主に均し部材４４０の構成にあり、以下では、この均し部材４４０の構成および動作について説明する。
【００５０】
図８は、均し部材の構成を示す図である。
【００５１】
図８のパート（Ａ）には、特許文献１（特開平１０−２０７３０号公報）に記載されたトナー回収装置における均し部材４４０Ａが示されている。均し部材４４０Ａは、図８に示す駆動部４３０によって回転される、奥行き方向に延びる回転軸４４１と、回転軸４１１の周囲に等間隔に設けられた螺旋状のフィン４４２とで構成されている。この均し部材４４０Ａは、粉粒物排出口３４１から投入された粉粒物を、どの位置でも均一な力で奥行き方向に移送する。このような均し部材４４０Ａを、図７に示すように粉粒物収容箱４１０の中間の高さに設ける場合、粉粒物を均し部材４４０Ａで奥行き方向に搬送し、粉粒物は均し部材４４０Ａより下方に堆積され、粉粒物収容箱４１０内に無駄な空間が生じてしまう。
【００５２】
図８のパート（Ｂ）には、本実施形態における均し部材４４０Ｂが示されている。均し部材４４０Ｂは、均し部材４４０Ａと同様に、図８に示す駆動部４３０によって回転される回転軸４４３と、回転軸４４３の周囲に等間隔に設けられた螺旋状のフィン４４４とで構成されているが、フィン４４４の外径が、手前のフィンほど大きくなっている。この回転軸４４３は、本発明にいう回転軸の一例にあたり、フィン４４４は、本発明にいうフィンの一例に相当する。フィン４４４は、外径が大きいほど粉粒物の移送能力が大きくなるため、均し部材４４０Ｂは、全体として、手前ほど移送能力が大きく、奥ほど移送能力が小さくなっている。このような均し部材４４０Ｂを、図７に示す均し部材４４０として適用すると、粉粒物は領域Ａ、領域Ｂ、領域Ｃの順に堆積され、続いて、領域Ｃ奥側へ堆積が増え次第に領域Ｄにも堆積される。したがって、粉粒物収容箱４１０内に無駄な隙間を空けずに多くの粉粒物を回収することができる。
【００５３】
以上で本発明の第１実施形態の説明を終了し、続いて、本発明の粉粒物回収装置の第２実施形態の説明を行う。ここで、第１実施形態と第２実施形態とは、均し部材の構成のみ異なるため、図７および図８を用いて、第１実施形態との相違点のみ説明する。
【００５４】
図８のパート（Ｃ）には、本実施形態における均し部材４４０Ｃが示されている。均し部材４４０Ｃは、第１実施形態の均し部材４４０Ｂとは異なり、図８に示す駆動部４３０によって回転される回転軸４４５の周りに、同じ外形を有する複数の螺旋状のフィン４４６が、奥ほどフィンとフィンの間のピッチが狭くなるように設けられている。この回転軸４４５も、本発明にいう回転軸の一例にあたり、フィン４４６も、本発明にいうフィンの一例に相当する。フィン間のピッチが広いほど、多くの粉粒物を移送することができるため、移送能力が大きくなる。したがって、このような均し部材４４０Ｃを、図７に示す均し部材４４０として適用する場合にも、第１実施形態と同様に、粉粒物は領域Ａ、領域Ｂ、領域Ｃ、領域Ｄの順に堆積され、粉粒物収容箱４１０を有効に使うことができる。
【００５５】
以上で本発明の第２実施形態の説明を終了し、続いて、本発明の粉粒物回収装置の第３実施形態の説明を行う。第３実施形態についても、図７および図８を用いて、第１実施形態および第２実施形態との相違点のみ説明する。
【００５６】
図８のパート（Ｄ）には、本実施形態における均し部材４４０Ｄが示されている。この第３実施形態も、均し部材４４０Ｄの構成のみ、第１実施形態および第２実施形態と相違している。均し部材４４０Ｄは、回転軸４４７の周りに、同じ外形を有する複数の螺旋状のフィン４４８が手前の領域に偏って設けられており、奥の領域には、フィン４４８が設けられていない停滞領域５００が複数存在する。この回転軸４４７も、本発明にいう回転軸の一例にあたり、フィン４４８も、本発明にいうフィンの一例に相当する。この停滞領域５００付近では、粉粒物が山状に堆積されるため、均し部材４４０Ｄ全体としては、停滞領域５００が存在する奥方向ほど移送能力が小さくなり、フィン４４８が偏在している手前方向ほど移送能力が大きくなる。このような均し部材４４０Ｄを用いても、多くの粉粒物を粉粒物回収箱４１０内に無駄なく収容することができる。
【００５７】
ここで、上記説明では、回転軸と螺旋状のフィンとで構成された粉粒物移送部の例について説明したが、本発明にいう粉粒物移送部は、ベルト状の移送部材などを用いたものであってもよい。
【００５８】
また、上記説明では、粉粒物移送部が粉粒物収容箱の中間程度の高さに設けられた粉粒物回収装置の例について説明したが、本発明にいう粉粒物移送部は、粉粒物収容箱の上面付近に設けられるものであってもよい。
【００５９】
また、上記説明では、劣化現像剤に加えて、感光体に残留した廃トナーを回収する粉粒物回収装置について説明したが、本発明の粉粒物回収装置は、例えば、中間転写ベルトなどに残留した廃トナーを回収するものであってもよい。
【図面の簡単な説明】
【００６０】
【図１】本発明の粉粒物回収装置の一実施形態が適用されたプリンタの主要部を示す概略構成図である。
【図２】図１に示す感光体とクリーニング装置を示す図である。
【図３】回収部と粉粒物回収装置とを示す図である。
【図４】粉粒物送り部の内部構造を示す図である。
【図５】粉粒物回収装置の側面図である。
【図６】図５に示す粉粒物回収装置の断面図である。
【図７】粉粒物回収装置の内部構成図である。
【図８】均し部材の構成を示す図である。
【符号の説明】
【００６１】
１０Ｙ，１０Ｍ，１０Ｃ，１０Ｋ    画像形成部
１１Ｙ，１１Ｍ，１１Ｃ，１１Ｋ    感光体
１２Ｙ，１２Ｍ，１２Ｃ，１２Ｋ    帯電器
１３Ｙ，１３Ｍ，１３Ｃ，１３Ｋ    露光器
１４Ｙ，１４Ｍ，１４Ｃ，１４Ｋ    現像器
１５Ｙ，１５Ｍ，１５Ｃ，１５Ｋ    一次転写体
１６Ｙ，１６Ｍ，１６Ｃ，１６Ｋ    クリーニング装置
２１    粉粒物保持用ブラシロール
２２    回収ロール
２３    クリーニングブレード
２４    移送オーガ
３０    中間転写ベルト
３１    中間転写ベルトクリーナ
３２    二次転写体
３３    定着器
３４    テンションローラ
２００    用紙
３００    回収部
３１０    現像剤回収口
３２０    トナー回収口
３３０    粉粒物送り部
３３１    粉粒物回収口
３３２    オーガ
３４０    挿入部
３４１    粉粒物排出口
４００    粉粒物回収装置
４００Ａ    空間
４０１    挿入口
４１０    粉粒物収容箱
４２０    センサ
４３０    駆動部材
４４０    均し部材
４４１，４４３，４４５，４４７    回転軸
４４２，４４４，４４６，４４８    フィン
５００    停滞領域
【図１】
2005091847.tif 000003
【図２】
2005091847.tif 000004
【図３】
2005091847.tif 000005
【図４】
2005091847.tif 000006
【図５】
2005091847.tif 000007
【図６】
2005091847.tif 000008
【図７】
2005091847.tif 000009
【図８】
2005091847.tif 000010